(57)【特許請求の範囲】
【請求項１】
模擬銃に用いる球形の弾丸であって、
弾丸本体がプラスチックの型成形によって形成されており、
上記プラスチックは熱可塑性弾性体より成り、
前記熱可塑性弾性体は、命中しても人や物を傷つけることないようにその硬度がＪＩＳ  Ｋ６２５３Ａの測定方法において５〜４０度の範囲を示すとともに、
その弾丸本体を構成するプラスチックがＳＥＢＳを主成分とするものであり、かつ、その弾丸本体の表面に減摩剤が付着し、その減摩材が微粉状のもので、タルクとデンプンの両方を含んで構成されていることを特徴とする重力給弾模擬銃専用軟質弾丸。
【請求項２】
弾丸本体の硬度が、ＪＩＳ  Ｋ６２５３Ａの測定方法において８〜１２度の範囲にある請求項１記載の重力給弾模擬銃専用軟質弾丸。
【請求項３】
弾丸本体が縦横に配列されるとともに、上記弾丸本体の配列の外周の全部又は一部にランナー枠があり、全ての弾丸同士及び弾丸とランナー枠が繋がっており、使用時に１個ずつ切り離して使用するように構成された請求項１または２記載の重力給弾模擬銃専用軟質弾丸。
【発明の詳細な説明】
【技術分野】
【０００１】
本発明は、模擬銃に用いる球形の弾丸であって、重力給弾模擬銃専用の軟質弾丸に関するものである。
【背景技術】
【０００２】
模擬銃には、俗に銀玉鉄砲と呼ばれる簡易な構造を持ったものがあり、特に、年少者を対象とするものして従来から普及している。それは、俗称から推測されるように、銀色の球状弾丸をトリガー操作だけで発射できることを特徴とするもので、複雑な弾丸の供給機構や発射機構等を必要としない。
【０００３】
銀玉と称する弾丸は直径が７ｍｍほどの石膏製や粘土製のものである。現在、模擬銃に使用されている弾丸にはプラスチック製のＢＢ弾があり、より柔軟な素材を用いた軟質弾等もある。しかし、それらの弾丸でも、当たれば或る程度のショックを感じるのは当然であり、銀玉鉄砲でも威力は弱いが同様である。
【０００４】
そこで、本発明者は弾丸が人の皮膚に当たっても物が当たったショックを感じない、模擬銃のシステムを開発して来た。それは銀玉鉄砲に代わる銃、というよりも全く新しい模擬銃であり、言ってみれば究極的な安全性を有するものである。本発明はそうした模擬銃に最適の弾丸として設計されたものである。
【０００５】
一方、先行技術を調査したが、該当するものや類似するものなどは全く見出すことができなかった。軟質弾丸或いはソフト弾丸等の概念に該当する発明がそもそも存在しない。ソフトという文言は特表２００７−５０５２８６号に見出され、請求項１６にペイントボール、エアソフト・ボール、「ｂｂ」又はペレットのような弾丸との記載があるが、明細書には説明されていない。そのため詳細は不明であるが、電動式圧縮空気銃に関することから、本発明とは殆ど関係がないものと考えられる。
【先行技術文献】
【特許文献】
【０００６】
【特許文献１】特表２００７−５０５２８６号
【発明の概要】
【発明が解決しようとする課題】
【０００７】
本発明は前記の点に鑑みなされたもので、その課題は、命中しても人や物を傷付けることなく安全に遊ぶことができる重力給弾模擬銃専用の軟質弾丸を提供することである。また、本発明の他の課題は、軟質であるにも拘らず確実に給弾され、かつ、発射される重力給弾模擬銃専用軟質弾丸を提供することである。
【課題を解決するための手段】
【０００８】
前記の課題を解決するため、本発明は、模擬銃に用いる球形の弾丸として、弾丸本体がプラスチックの型成形によって形成されており、上記プラスチックは熱可塑性弾性体より成るものとするという手段を講じたものである。
上記熱可塑性弾性体は、その硬度がＪＩＳ  Ｋ６２５３Ａの測定方法において５〜４０度の範囲を示すものであることが望まれる。
【０００９】
弾丸本体はプラスチックの型成形によって形成されるが、しかし、全てのプラスチックを型成形法によって成形できるものではない。試行錯誤の結果、本発明に係る軟質弾丸に適用する熱可塑性弾性体の場合は、その硬度がＪＩＳ  Ｋ６２５３Ａの測定方法において５〜４０度の範囲の適当であることが判明した。
【００１０】
硬度が５未満では、成形不可能ではないにしても困難であり、ランナーから切り離した後のゲート跡が大きくなる。その一方、硬度が４０を超えるようになると成形は容易化するが、本発明の目的からは硬過ぎるため適当とはいえなくなる。なお、ＪＩＳ  Ｋ６２５３Ａの測定方法は、高低何れでもない中硬度の一般ゴム用を対象とするタイプＡデュロメーターを用いると規定されている。
【００１１】
特に、弾丸本体の硬度がＪＩＳ  Ｋ６２５３Ａの測定方法において８〜１２度の範囲にあり、かつ、その弾丸本体の表面に微粉状の減摩剤が付着しているものは、本発明に係る軟質弾丸として好適である。硬度の問題は軟質弾丸の供給とも関連する。硬度が２０度を下回るようになると、成形は可能であるが接触している弾丸本体同士或いは弾丸本体と弾丸供給路との間の摩擦の影響が顕著になり、給弾と発射される弾丸の飛び方に大きな支障が出るという傾向が認められた。従って、減摩剤は弾丸の摩擦低減の目的で用いられる。
【００１２】
上記８〜１２度という硬度は、本発明の軟質弾丸の硬度として好適である反面、上記のように摩擦の影響が強く現れて来る。従って、互いに接触している弾丸本体同士或いは弾丸本体と弾丸供給路との間の摩擦の影響を低減するとともに、軟質弾丸を重力のみの作用によって供給可能にするには、減摩剤の併用が望まれる。減摩剤には後述する微粉状のものが適している。微粉状のものは、振りかけて弾丸本体表面に万遍なく付着させることが容易であり、また、必要があれば洗い落とすことも容易である。
【００１３】
弾丸本体を構成するプラスチックはＳＥＢＳ（スチレン−エチレン・ブチレン−スチレンブロック共重合体）を主成分とするものであり、また、微粉状の減摩剤はタルクとデンプンの少なくとも一方又は両方を含んで構成されているものが望ましい。ＳＥＢＳ（スチレン−エチレン・ブチレン−スチレンブロック共重合体）を主成分とするプラスチックは人体にも安全な材質として、例えば、医療用具や歯ブラシ等にも使用されており、本発明に係る軟質弾丸としても好ましいものである。
【００１４】
また、上記に属する微粉状の減摩剤としては、天花粉、シッカロール（登録商標）、ベビーパウダー（登録商標）等が適切である。天花粉は黄カラスウリのデンプンを主成分とするものとして知られ、後の二者はタルクとデンプンを主成分とするものとして知られている。なお、減摩剤は、軟質弾丸を使用するまでの何時でも弾丸本体に付着させることができる。
【００１５】
その他、例えば、シリコンオイルのようなものも使用可能であり、実験により効果のあることを確認している。しかしながら、上記の、例えばシッカロール（登録商標）等の方が、摩擦の低減においてより良い結果を得ており、また、人体に対する安全性も長年の使用実績によって確認され、また、安価で入手もより容易である。
【００１６】
弾丸本体が縦横に配列されるとともに、上記弾丸本体の配列の外周の全部又は一部にランナー枠があり、全ての弾丸同士及び弾丸とランナー枠がつながっており、使用時に１個ずつ切り離して使用するようにした構成は本発明として好ましいものである。
【発明の効果】
【００１７】
本発明は以上のように構成され、かつ、作用するものであるから、非常に硬度の低い熱可塑性弾性体を用いて型成形し全く新しい重力給弾模擬銃専用の軟質弾丸を提供することができるという効果を奏する。本発明に係る軟質弾丸は非常に軟質、かつ、軽量であるにも拘らず重力のみによって供給することができ、また、軟質弾丸は、命中しても人や物を傷付けることなく安全に遊ぶことができるものであるから、究極的な安全性を発揮する。さらにまた、本発明によれば、軟質であるにも拘らず、弾丸との接触摩擦が低減される結果、弾丸が確実に分離して給弾されるとともに、安定した発射が可能になり、正確な弾道を得ることができる。
【図面の簡単な説明】
【００１８】
【図１】本発明に係る重力給弾模擬銃専用軟質弾丸の一例を示す説明図であり、Ａは１個軟質弾丸の断面図、Ｂは多数個から成る軟質弾丸の外観図である。
【図２】同軟質弾丸を用いる重力給弾模擬銃の内部機構を示す説明図である。
【発明を実施するための形態】
【００１９】
以下、図示の実施形態を参照して本発明をより詳細に説明する。図１は本発明に係る重力給弾模擬銃専用軟質弾丸ＢＢを示すもので、弾丸本体１はプラスチック球形のものより成る。実施例の軟質弾丸ＢＢはＳＥＢＳ（スチレン−エチレン・ブチレン−スチレンブロック共重合体）を主成分とする熱可塑性弾性体である。
【００２０】
実施形態における軟質弾丸ＢＢは、弾丸本体の硬度がＪＩＳ  Ｋ６２５３Ａの測定方法において８〜１２度の範囲にある。上記熱可塑性弾性体を用いて、硬度が８度、１０度、１２度のものを射出成型した。これら三点の軟質弾丸の実験結果について大差はないが、特に、１０度の硬度を持つ実施例のものが、成形性、摩擦低減、発射性及び無ショック性のトータルのバランスにおいて最適であった。
【００２１】
また、上記弾丸本体１の表面にはタルクとデンプンを主成分とする微粉状の減摩剤２が付着している。この減摩剤２は、型成形された軟質弾丸にシッカロール（登録商標）を、振りかけて弾丸本体表面に万遍なく付着させたものである。減摩剤２の付着は、次に述べるランナー枠３につながっている状態でも可能であるが、１個１個切り離した後、模擬銃に供給する前に、まとめて振りかけた方がより良い結果を得るであろう。
【００２２】
図１Ｂは、弾丸本体１が縦横に配列されるとともに、上記弾丸本体１の配列の外周の全部又は一部にランナー枠３があり、全ての弾丸本体１同士及び弾丸本体１とランナー枠３がつながって構成されたものを示す。ランナー３に直接つながった弾丸本体１には太さの異なる枝ランナー４がつながっており、使用時に１個ずつ切り離して使用するように構成されている。
＜効果確認の実験＞
本発明に係る軟質弾丸の効果の一部を確認するために、その威力について比較する実験を行なったので、その結果を以下に示す。実験は、軟質弾丸と比較用ＢＢ弾（軟質弾丸とほぼ同じ質量）を同じ初速でプッシュゲージのセンサー部に衝突させ、衝突エネルギーの測定を行なった（なお、減摩剤はシッカロール（登録商標）を使用した。）。
＜実験条件＞
・軟質弾丸質量        ０．１０９ｇ（五発計測の平均）
・軟質弾丸の硬度      １０度（ＪＩＳ  Ｋ６２５３Ａ）
・ＢＢ弾質量（比較例）０．１１４ｇ（五発計測の平均）
・弾の射出初速        ６０ｍ／ｓ
・センサー位置        銃口より１ｃｍ
・発射装置            調整済みのエアコッキングガン
＜実験結果＞
表１
0006640479.tif 000002
【００２３】
単位：ニュートン（Ｎ）
表１によれば、本発明の軟質弾丸を、上記の実験条件にて発射して得られた運動エネルギーは、五回の平均値で１．５３Ｎである。これに対し、ＢＢ弾を、同じ実験条件にて発射して得られた運動エネルギーは、同様に２．８６Ｎである。弾丸質量としてはほぼ同等であり、従って、仕事量はほぼ同じ値を示すはずであるが、プッシュゲージによって得られた、本発明に係る軟質弾丸による運動エネルギーは比較例のそれの５３％にとどまっている。これは、軟質弾丸であるためセンサーへの衝突によって圧縮され、その変形にエネルギーが消費されたことを示す。従って、人体に及ぼす外力も著しく小さいものとなる。参考までに、本発明に係る軟質弾丸を手の平に命中させた場合の感触について、若年層を含む多数人に問診したところ、例外なく弾丸が当たった感触が殆ど感じられないという結果が得られた。
【００２４】
このような本発明に係る軟質弾丸ＢＢは、いわゆる銀玉鉄砲に属する模擬銃に用いられる。図２は、特に改良された模擬銃１０を示しており、１１は銃腔すなわち発射される弾丸Ｂが通過する空間であって、その内方部分に装弾部１２が設定され、弾丸発射口である銃口１３はその外方に開口する。
【００２５】
装弾部１２は供給された弾丸Ｂを発射まで保持する弾丸ホルダー１２ａを有している。弾丸ホルダー１２ａは弾丸を一時的に止めるに足りる程度の突条から成り、装弾部１２の左右両側面に設けられている。上記弾丸Ｂと弾丸ホルダー１２ａのどちらか一方又は両方が、前進するストライカー１５に押されて弾丸Ｂを通過させるために変形可能な素材、例えば、ナイロン（登録商標）、ゴム等の素材によって形成されている。
【００２６】
従って、一般的なＢＢ弾と同程度の硬質弾丸であっても、後述するストライカー１５によって打圧されたときには、弾丸ホルダー１２ａが弾性変形して通過することができる。また、それ自体が指先で押したときに変形する程度の軟質弾丸の場合には、軟質弾丸が弾性変形して通過することができる。
【００２７】
上記銃腔１１の後方はストライカー移動路１４となって連続しており、そこに後述するストライカー１５が前進後退可能に設けられている。ストライカー１５は、後退時には給弾口よりも後方の位置に下がり、前進時にはストライカー１５の前端が装弾部１２に達して弾丸Ｂを打圧する。ストライカー移動路１４の上位には、弾丸Ｂが隣接して装弾部１２まで重力供給される供給路１６が位置している。
【００２８】
重力給弾の手段として、上記供給路１６は、水平部分から成る後側部分と傾斜面から成る前側部分とから構成されている。供給路１６の先端は装弾部１２に弾丸Ｂを落とすための装弾口１７を構成し、その後端には給弾口１８が形成され、その間に所要個数の弾丸Ｂを充填できるように構成されている。供給路１６の前側部分は傾斜面から装弾口１７に向けて滑らかな曲面を経てほぼ垂直に向きを変え（このため、装弾口１７も僅かながら狭められる。）、また、弾丸Ｂが滑り落ちる傾斜面の一部に切り離し部材２０が設けられている。
【００２９】
上記切り離し部材２０は後端上部の支軸１９によって回転可能に設けられ、それによって、先端下部がストライカー移動路１４及び供給路１６に対して出入りするように構成されている。切り離し部材２０は、ストライカー１５の後退時に、ストライカー移動路１４の上枠を兼ねる部分に設けられたストッパー２１に係止し、それ以上は開かない。また、ストライカー１５の前進時にはストライカー１５の上面を摺動し、この状態では切り離し部材２０の先端側は供給路１６内に入り込んで装弾口１７を狭め、弾丸Ｂの移動を途中で止めるように構成されている。
【００３０】
弾丸発射機構としてトリガー２２が設けられており、トリガー２２はそれと一体のスライド部材２３によって、銃本体側に設けられた前後動部２４を前進後退可能に設けられている。スライド部材２３には係合部材２５が支軸２６の回りに回転可能に取り付けられ、係合部材２５の係合部２７は、ストライカー１５に設けられた係合相手部２８と、後述するように係合可能な関係に置かれている。
【００３１】
すなわち、トリガー２２を引く操作によって、係合部２７と係合相手部２８が係合し、ストライカー１５を後退させるとともに、係合部２７の回転により係合相手部２８との係合が外れることでストライカー１５の前進を可能にする関係に設けられている。従って、ストライカー１５は後退時にメインスプリング３０を圧縮し、それによって蓄圧されたばね力で瞬時に前進する。
【００３２】
メインスプリング３０の後方バネ受け２９は銃本体側に設けられており、前方バネ受け３１はストライカー１５の後端部に設けられている。前方バネ受け３１は、銃本体内部の構造体３２をストッパーとして前進限界が規定されている。
【００３３】
本発明に係る軟質弾丸は上記のように構成されているので、適切に重力給弾され、発射させることができる。図２の模擬銃は、特に、発射位置にある弾丸を、次弾から機械的に完全に切り離す手段を具えるもので、それによって次弾の影響を断ち、弾丸の直進性を得るとともに、飛距離を増大するなど性能の向上を図ったものである。従って、本発明に係る軟質弾丸ＢＢは、図２の模擬銃を使用しなければならないものではなく、従来の重力給弾構造を有する銀玉鉄砲を使用しても、当然発射可能である。
【符号の説明】
【００３４】
ＢＢ  重力給弾模擬銃専用軟弾丸
１  弾丸本体
２  減摩剤
３  ランナー
４  枝ランナー
１０  模擬銃
１１  銃腔
１２  装弾部
１３  銃口
１４  ストライカー移動部
１５  ストライカー
１６  供給路
１７  装弾口
１８  給弾口
１９、２６  支軸
２０  切り離し部材
２１  ストッパー
２２  トリガー
【図１】
0006640479.tif 000003
【図２】
0006640479.tif 000004